【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
互いに感度が異なる第１感度及び第２感度で放射線を検知する複数のセンサが複数の行および複数の列を形成するように配列されたセンサアレイと、
前記センサアレイの各センサを行ごとに選択する行選択部と、
前記行選択部により選択された行の各センサから信号を読み出す信号読出部と、
制御部と、を備え、
前記複数のセンサのそれぞれは、前記第１感度で取得した第１信号をサンプリングして保持する第１サンプルホールド回路と、前記第２感度で取得した第２信号をサンプリングして保持する第２サンプルホールド回路とを有し、
前記制御部は、
前記複数のセンサにおいて前記第１信号が前記第１サンプルホールド回路に一括でサンプリングされて保持され、且つ、前記複数のセンサにおいて前記第２信号が前記第２サンプルホールド回路に一括でサンプリングされて保持されるように前記センサアレイを制御する第１の制御と、
当該第１の制御により得られた前記第１信号と前記第２信号とが前記信号読出部により各センサから行ごとに読み出されるように前記行選択部を制御する第２の制御と、
を行い、
前記第２の制御では、前記行選択部は、前記行選択部により選択されている行の各センサの前記第１サンプルホールド回路が保持する前記第１信号と前記第２サンプルホールド回路が保持する前記第２信号とが互いに異なるタイミングで前記信号読出部により読み出された後に、前記選択されている行とは異なる他の行の各センサを選択する、
ことを特徴とする放射線撮像装置。
【請求項２】
前記行選択部により選択されている行の各センサのうち、前記信号読出部により信号が読み出されるべきセンサを列ごとに選択する列選択部をさらに備え、
前記第２の制御では、前記制御部は、前記列選択部により選択されている列のセンサの前記第１サンプルホールド回路が保持する前記第１信号と前記第２サンプルホールド回路が保持する前記第２信号とが互いに異なるタイミングで前記信号読出部により読み出された後に、次の列のセンサが選択されるように前記列選択部をさらに制御する、
ことを特徴とする請求項１に記載の放射線撮像装置。
【請求項３】
前記行選択部により選択されている行の各センサのうち、前記信号読出部により信号が読み出されるべきセンサを列ごとに選択する列選択部をさらに備え、
前記第２の制御では、前記制御部は、前記行選択部により選択されている行の各センサの前記第１サンプルホールド回路が保持する前記第１信号が前記信号読出部により読み出された後に、当該行の各センサの前記第２サンプルホールド回路が保持する前記第２信号が前記信号読出部により読み出されるように前記列選択部をさらに制御する、
ことを特徴とする請求項１に記載の放射線撮像装置。
【請求項４】
前記複数のセンサのそれぞれは、基準信号をサンプルして保持する第３サンプルホールド回路を更に含み、
前記制御部は、前記第１の制御では前記複数のセンサにおいて前記基準信号を前記第３サンプルホールド回路に一括でサンプルして保持されるように、前記センサアレイを制御し、
前記信号読出部は、前記第１信号及び前記第２信号が入力される第１入力端子と、前記基準信号が入力される第２入力端子と、を含み、前記第１入力端子からの信号と前記第２入力端子からの信号との差分を増幅して出力する信号増幅部と、前記信号増幅部から出力された信号をＡＤ変換するＡＤ変換部と、を含み、
前記制御部は、前記第１信号と前記第２信号とを互いに異なるタイミングで前記第１入力端子に入力させる
ことを特徴とする請求項２又は３に記載の放射線撮像装置。
【請求項５】
動作モードに応じて、前記第１信号と、前記第２信号と、前記第１信号と前記第２信号との合成信号と、のいずれか１つを出力する、
ことを特徴とする請求項１乃至４のいずれか１項に記載の放射線撮像装置。
【請求項６】
前記第１信号及び前記第２信号の一方を出力する動作モードにおいて当該一方を出力することができない場合に、前記第１信号及び前記第２信号の他方に基づく信号を当該一方の代わりに出力する、
ことを特徴とする請求項１乃至５のいずれか１項に記載の放射線撮像装置。
【請求項７】
前記複数のセンサのそれぞれは、放射線量に応じた電気信号を出力する変換素子と、前記変換素子に接続された第１容量と、前記変換素子にスイッチ素子を介して接続された第２容量とを有し、
前記制御部は、前記スイッチ素子を用いて各センサの感度を変更する、
ことを特徴とする請求項１乃至６のいずれか１項に記載の放射線撮像装置。
【請求項８】
前記複数のセンサのそれぞれにおいて、前記変換素子と前記第２容量との間のスイッチが非導通状態の間に前記第１サンプルホールド回路は前記第１信号をサンプリングして保持し、前記スイッチが導通状態になった後に前記第２サンプルホールド回路が前記第２信号をサンプリングして保持する、
ことを特徴とする請求項７に記載の放射線撮像装置。
【請求項９】
前記センサアレイは、各々が複数のセンサを有する複数のセンサユニットが基台の上に配列されて形成されている、
ことを特徴とする請求項１乃至８のいずれか１項に記載の放射線撮像装置。
【請求項１０】
前記複数のセンサのそれぞれは、前記第１サンプルホールド回路に保持された前記第１信号を出力するための第１スイッチと、前記第２サンプルホールド回路に保持された前記第２信号を出力するための第２スイッチと、を更に含み、
前記行選択部は、前記第１スイッチ及び前記第２スイッチを行ごとに導通状態にすることにより前記センサアレイの各センサを行ごとに選択する、
ことを特徴とする請求項１乃至９のいずれか１項に記載の放射線撮像装置。
【請求項１１】
前記第１感度は前記第２感度よりも感度が高い、
ことを特徴とする請求項１乃至１０のいずれか１項に記載の放射線撮像装置。
【請求項１２】
請求項１乃至１１のいずれか１項に記載の放射線撮像装置と、
前記放射線撮像装置からの信号を処理する処理部と、
を備えることを特徴とする放射線検査装置。
【請求項１３】
互いに感度が異なる第１感度及び第２感度で放射線を検知する複数のセンサが複数の行および複数の列を形成するように配列されたセンサアレイと、前記センサアレイの各センサを行ごとに選択する行選択部と、前記行選択部により選択された行の各センサから信号を読み出す信号読出部と、を備える放射線撮像装置の制御方法であって、
前記複数のセンサのそれぞれは、前記第１感度で取得した第１信号をサンプリングして保持する第１サンプルホールド回路と、前記第２感度で取得した第２信号をサンプリングして保持する第２サンプルホールド回路とを有し、
前記放射線撮像装置の制御方法は、
前記複数のセンサにおいて前記第１信号が前記第１サンプルホールド回路に一括でサンプリングされて保持され、且つ、前記複数のセンサにおいて前記第２信号が前記第２サンプルホールド回路に一括でサンプリングされて保持されるように前記センサアレイを制御する第１の制御工程と、
前記第１の制御工程により得られた前記第１信号と前記第２信号とが前記信号読出部により各センサから行ごとに読み出されるように前記行選択部を制御する第２の制御工程とを有し、
前記第２の制御工程では、前記行選択部は、前記行選択部により選択されている行の各センサの前記第１サンプルホールド回路が保持する前記第１信号と前記第２サンプルホールド回路が保持する前記第２信号とが互いに異なるタイミングで前記信号読出部により読み出された後に、前記選択されている行とは異なる他の行の各センサを選択する、
ことを特徴とする放射線撮像装置の制御方法。
【手続補正２】
【補正対象書類名】明細書
【補正対象項目名】０００７
【補正方法】変更
【補正の内容】
【０００７】
本発明の一つの側面は放射線撮像装置にかかり、互いに感度が異なる第１感度及び第２感度で放射線を検知する複数のセンサが複数の行および複数の列を形成するように配列されたセンサアレイと、前記センサアレイの各センサを行ごとに選択する行選択部と、前記行選択部により選択された行の各センサから信号を読み出す信号読出部と、制御部と、を備え、前記複数のセンサのそれぞれは、前記第１感度で取得した第１信号をサンプリングして保持する第１サンプルホールド回路と、前記第２感度で取得した第２信号をサンプリングして保持する第２サンプルホールド回路とを有し、前記制御部は、前記複数のセンサにおいて前記第１信号が前記第１サンプルホールド回路に一括でサンプリングされて保持され、且つ、前記複数のセンサにおいて前記第２信号が前記第２サンプルホールド回路に一括でサンプリングされて保持されるように前記センサアレイを制御する第１の制御と、当該第１の制御により得られた前記第１信号と前記第２信号とが前記信号読出部により各センサから行ごとに読み出されるように前記行選択部を制御する第２の制御と、を行い、前記第２の制御では、前記行選択部は、前記行選択部により選択されている行の各センサの前記第１サンプルホールド回路が保持する前記第１信号と前記第２サンプルホールド回路が保持する前記第２信号とが互いに異なるタイミングで前記信号読出部により読み出された後に、前記選択されている行とは異なる他の行の各センサを選択することを特徴とする。